(57)【要約】      （修正有）【課題】ペットを伴って散歩を行う際に携帯に便利であって、地面に落下した糞便を確実に取り去って路上を汚すことのない、環境衛生面でも優れているペット用糞便収集具を提供する。【解決手段】ほうき１と、柄の部分２及び本体部分３からなる塵取り５と、糞便を固形化するための固形化物質を収納する固形化物質収納容器６と、上記ほうきを保持するためのほうきカバー７と、糞便を収容する空間を有する糞便収容部材８と、該糞便収容部材の柄の部分９に取り付けた、上記固形化物質収納容器を保持する固形化物質収納容器保持部１０とを備えている。【選択図】図２
0003222372.tif 000002
【実用新案登録請求の範囲】
【請求項１】
ほうきと、柄の部分及び本体部分からなる塵取りと、糞便を固形化するための固形化物質を収納する固形化物質収納容器と、上記ほうきを保持するためのほうきカバーと、糞便を収容する空間を有する糞便収容部材と、該糞便収容部材の柄の部分に取り付けた、上記固形化物質収納容器を保持する固形化物質収納容器保持部とを備えていることを特徴とするペット用糞便収集具。
【請求項２】
ほうきカバーは下端部、側面部及び上端部に突起を有し、該突起は糞便収容部材と係合可能であり、塵取りの柄の部分の上端に掴み部を有し、該掴み部は糞便収容部材の柄の部分を掴むことが可能であることを特徴とする請求項１記載のペット用糞便収集具。
【請求項３】
糞便収容部材の柄の部分の上端に持ち手を有することを特徴とする請求項１又は２記載のペット用糞便収集具。
【考案の詳細な説明】
【技術分野】
【０００１】
本考案は、ペット、特に飼い犬を連れての散歩中に、その犬が排泄した糞便を処理するためのペット用糞便収集具に関する。
【背景技術】
【０００２】
飼い犬を連れての散歩中に行われる、その犬が排泄した糞便の始末は、通常、小型のシャベルと、ビニール袋などの袋とを携帯し、排便が行われる度にシャベルで糞便を掬い取って袋の中に投入し、袋ごと持ち帰ることが行われている。
【０００３】
しかし、このようにして行われる散歩中の犬の糞便の処理は、糞便をシャベルで掬い取って袋に投入するだけの簡単な作業に見えるが、実際には、犬をつないだ紐や鎖などの手綱の端を一方の手で握った状態で、他方の手でシャベルを操作し、さらに掬い取った糞便を投入するための袋を、口を広げた状態として保持しておかなければならないことから、甚だ難しい作業である。しかも、糞便の排泄が行われないときも、また糞便の排泄を終えた後にも、シャベルと袋とを、犬をつないだ手綱と一緒に常に持たなければならないことから、そのシャベル及び袋の扱いが難しいものとなっている。そして、このことから、シャベル及び袋を持ち歩いて犬の糞便を処理するのが億劫になり、糞便をそのままにする愛犬家を多くしているという問題があり、飼い主の環境に対する意識やマナーが問われるようになっている
【０００４】
また、従来の方法では、地面に落下した糞便を採取することになるため、糞便をすべて取り去ることは困難で、残った糞便で路上を汚すことになり、街の美観を損なうばかりでなく、環境衛生も害する恐れがある。
【０００５】
そこで、飼い主の責任において環境やマナーを守って犬の糞便の処理をするための犬用糞便採取具として、特許文献１には、犬の糞便を地面に落とさず簡単に且つ衛生的に処理することを目的として、取っ手付き円柱容器の底に抜き取り口を設け、その下部にロール巻きビニール袋を入れた円柱容器を装着する「犬の糞取り用具」が開示されている。
【０００６】
しかし、特許文献１に開示された犬の糞取り用具を用いて、犬が糞便をする際の習性を利用して排便時に糞便をタイミングよく受け止めるのは非常に煩雑である。
【先行技術文献】
【特許文献】
【０００７】
【特許文献１】特開２０００−３１６４０８号公報
【考案の概要】
【考案が解決しようとする課題】
【０００８】
本考案は、上記課題を解決するためになされたものであり、その目的は、ペットを伴って散歩を行う際に携帯に便利であって、地面に落下した糞便を確実に取り去って路上を汚すことのない、環境衛生面でも優れているペット用糞便収集具を提供することにある。
【課題を解決するための手段】
【０００９】
本考案者は、前記課題を解決するために鋭意検討をおこなった結果、次のような手段を採用するものである。
（１）ほうきと、柄の部分及び本体部分からなる塵取りと、糞便を固形化するための固形化物質を収納する固形化物質収納容器と、上記ほうきを保持するためのほうきカバーと、糞便を収容する空間を有する糞便収容部材と、該糞便収容部材の柄の部分に取り付けた、上記固形化物質収納容器を保持する固形化物質収納容器保持部とを備えていることを特徴とするペット用糞便収集具。
（２）ほうきカバーは下端部、側面部及び上端部に突起を有し、該突起は糞便収容部材と係合可能であり、塵取りの柄の部分の上端に掴み部を有し、該掴み部は糞便収容部材の柄の部分を掴むことが可能であることを特徴とする（１）のペット用糞便収集具。
（３）糞便収容部材の柄の部分の上端に持ち手を有することを特徴とする（１）又は（２）のペット用糞便収集具。
【考案の効果】
【００１０】
本考案のペット用糞便収集具は、ペットを伴って散歩を行う際に、そのペットが排泄した糞便に固形化物質を混合して糞便を固形化し、ほうきと塵取りを用いて、固形化した糞便を確実に取り去って路上を汚すことなく糞便収容部材に収容することができるので、環境衛生面で優れている。特に、ペットの糞便が軟便の場合、この軟便に固形化物質を混合することにより、軟便を確実に固形化することができる。また、固形化物質収納容器を固形化物質収納容器保持部で保持し、ほうきカバーの下端部、側面部及び上端部にある突起を糞便収容部材と係合させ、塵取りの柄の部分の上端にある掴み部で糞便収容部材の柄の部分を掴むことにより、携帯に便利である。さらに、糞便収容部材の柄の部分の上端に持ち手を有することにより、一層携帯に便利である。
【図面の簡単な説明】
【００１１】
【図１】図１は、本考案のペット用糞便収集具の全体組み立て図である。
【図２】図２は、本考案のペット用糞便収集具のすべての構成部材を分離して示す斜視図である。
【図３】図３は、糞便収容部材の柄の部分に取り付けた固形化物質収納容器保持部で固形化物質収納容器を保持し、ほうきと塵取りとほうきカバーとを除いた状態を示す図である。
【図４】図４は、塵取りの柄の部分の上端にある掴み部で糞便収容部材の柄の部分を掴んでいる状態を示す図である。
【図５】図５は、ほうきを保持したほうきカバーを糞便収容部材と係合させる状態を示す図である。
【考案を実施するための形態】
【００１２】
本考案の実施形態について、図面を参照しながら説明するが、本考案の技術的範囲を逸脱しない限り、様々な変更や修正が可能なことは言うまでもない。
【００１３】
図２に示すように、本考案のペット用糞便収集具は、ほうき１と、柄の部分２及び本体部分３からなり且つ柄の部分２の上端に掴み部４を有する塵取り５と、糞便を固形化するための固形化物質を収納する固形化物質収納容器６と、ほうき１を保持するためのほうきカバー７と、糞便を収容する空間を有する糞便収容部材８と、糞便収容部材８の柄の部分９に取り付けた、固形化物質収納容器６を保持する固形化物質収納容器保持部１０とを備えている
【００１４】
ほうきカバー７は下端部に突起１１、側面部に突起１２、上端部に突起１３を有し、これら突起１１、１２及び１３は糞便収容部材８と係合可能である。また、塵取り５の柄の部分２の上端にある掴み部４は糞便収容部材８の柄の部分９を掴むことが可能である。さらに、糞便収容部材８の柄の部分９の上端に持ち手１４を有している。
【００１５】
固形化物質収納容器６に収納する固形化物質としては、糞便を固形化できるものであればよく、例えば、漆喰や高吸水性ポリマー（例えば、ポリアクリル酸ナトリウム）を用いることができる。
【００１６】
次に、飼い主がペットとして犬の散歩を行う際の本考案に係るペット用糞便収集具の使用方法について説明する。図１に示す状態のペット用糞便収集具Ｐの持ち手１４を左手または右手で持って、もう一方の手で犬の首輪につけた紐を掴む。そして、散歩中に犬が糞便を排泄した場合、図２に示すように、ペット用糞便収集具Ｐを構成部材に分離する。次に、固形化物質収納容器６に収納した固形化物質を犬が排泄した糞便に混合して、糞便の固形化を図る。特に、犬の糞便が軟便の場合、この軟便に固形化物質を混合することにより、軟便を確実に固形化できる。
【００１７】
さらに、塵取り５の本体部分３で固形化した糞便を地面からすべて掻き取る。さらに、掻き取った固形化した糞便をほうき１で掃き寄せ、図３に示す糞便収容部材８の空間２０に収容する。次に、図４に示すように、塵取り５の柄の部分２の上端にある掴み部４で糞便収容部材８の柄の部分９の上部を掴む。さらに、図５に示すように、塵取り５の本体部分３を糞便収容部材８の空間２０に収める。そして、ほうきカバー７でほうき１を保持し、ほうきカバー７の下端部の突起１１を糞便収容部材８の底部の小孔２１（図２、図３、図４参照）に挿入する。さらに、ほうきカバー７の側面部の突起１２と上端部の突起１３を糞便収容部材８と係合させて、図１に示す状態とする。
【００１８】
このようにして、ペット用糞便収集具Ｐの糞便収容部材８に収容した糞便は、最終的に生ごみとして、地方自治体の生ごみの処理プロセスに委ねることができる。
【産業上の利用可能性】
【００１９】
本考案のペット用糞便収集具は、携帯に便利であって、しかも環境衛生面でも優れている、公共の利益に貢献する極めて優れた考案である。
【符号の説明】
【００２０】
１  ほうき
２  柄の部分
３  本体部分
４  掴み部
５  塵取り
６  固形化物質収納容器
７  ほうきカバー
８  糞便収容部材
９  柄の部分
１０  固形化物質収納容器保持部
１１  突起
１２  突起
１３  突起
１４  持ち手
２０  空間
２１  小孔
【図１】
0003222372.tif 000003
【図２】
0003222372.tif 000004
【図３】
0003222372.tif 000005
【図４】
0003222372.tif 000006
【図５】
0003222372.tif 000007